(57)【要約】  ポンプハウジングの内部にボールベアリングを介して回転自在に支持された駆動軸と、該駆動軸の一端部にフランジ壁４ａを介して一体に結合されたプーリ４と、駆動軸の他端部に結合されたインペラと、フランジ壁の外周に一体に設けられた筒状基部４ｂと、フランジ壁の外周部側に貫通形成された６つの透孔１７と、を備え、該各透孔の内周面１７ａの底面１７ｃのほぼ中央位置に、前記筒状基部の内周面４ｇにほぼ沿って貫通した通路溝１７ｄをそれぞれ形成することにより、フランジ壁に形成された透孔からの水や塵芥などの異物の排出性を高める。
2015098293.tif 000002
【特許請求の範囲】
【請求項１】
軸方向の一端側に円筒部を有するポンプハウジングと、
該ポンプハウジング内で回転自在に支持された駆動軸と、
該駆動軸の一端部に固定された円盤状の端壁及び該端壁の外周縁に一体に結合されて前記円筒部を囲繞するように設けられた筒状基部を有するプーリと、
前記筒状基部と前記円筒部との間に介装されて、前記駆動軸を回転自在に軸受けする軸受部と、
前記駆動軸の他端部に一体回転可能に設けられたインペラと、
を備えたウォータポンプであって、
前記端壁に、該端壁の内外を連通する複数の透孔を軸方向に沿って形成すると共に、前記各透孔の内周面の径方向外端縁に、径方向外側に向かって通路溝を形成したことを特徴とするウォータポンプ。
【請求項２】
請求項１に記載のウォータポンプにおいて、
前記通路溝は、前記筒状基部の内周面にほぼ沿って形成されていることを特徴とするウォータポンプ。
【請求項３】
請求項２に記載のウォータポンプにおいて、
前記通路溝の開口面積は、前記透孔の開口面積よりも小さいことを特徴とするウォータポンプ。
【請求項４】
請求項３に記載のウォータポンプにおいて、
前記通路溝は、幅長さが前記端壁の内側から外側に向かって小さくなるように形成されていることを特徴とするウォータポンプ。
【請求項５】
請求項４に記載のウォータポンプにおいて、
前記透孔は、幅長さが前記端壁の内側から外側に向かって大きくなるように形成されていることを特徴とするウォータポンプ。
【請求項６】
請求項５に記載のウォータポンプにおいて、
前記透孔は、三角おむすび状に形成されていることを特徴とするウォータポンプ。
【請求項７】
請求項４に記載のウォータポンプにおいて、
前記各透孔は、前記端壁の周方向に等間隔位置に形成されていることを特徴とするウォータポンプ。
【請求項８】
請求項７に記載のウォータポンプにおいて、
前記透孔は、円形状に形成されていることを特徴とするウォータポンプ。
【請求項９】
請求項７に記載のウォータポンプにおいて、
前記透孔は、楕円形状に形成されていることを特徴とするウォータポンプ。
【請求項１０】
請求項７に記載のウォータポンプにおいて、
前記透孔は、矩形状に形成されていることを特徴とするウォータポンプ。
【請求項１１】
請求項３に記載のウォータポンプにおいて、
前記通路溝は、円弧状に形成されていることを特徴とするウォータポンプ。
【請求項１２】
請求項１１に記載のウォータポンプにおいて、
前記通路溝は、複数形成されていることを特徴とするウォータポンプ。
【請求項１３】
請求項１に記載のウォータポンプにおいて、
前記軸受部は、内輪が前記円筒部に固定され、外輪が前記筒状基部に固定された単一のボールベアリングによって構成されていることを特徴とするウォータポンプ。
【請求項１４】
軸方向の一端側に円筒部を有するポンプハウジングと、
該ポンプハウジング内に回転自在に支持された駆動軸と、
該駆動軸の一端部に固定された円盤状の端壁及び該端壁の外周縁に一体に結合されて前記円筒部を囲繞するように設けられた筒状基部を有するプーリと、
前記筒状基部と前記円筒部との間に介装されて、前記駆動軸を回転自在に軸受けする軸受部と、
前記駆動軸の他端部に一体回転可能に設けられたインペラと、
前記端壁に軸方向に沿って形成され、前記端壁の内外を連通する複数の透孔と、
前記各透孔の内周面の径方向外端縁に前記筒状基部の内周面にほぼ沿って形成された通路溝と、
を備えたウォータポンプの製造方法であって、
円盤状の金属プレートをプレス成形によって折曲することにより前記プーリの原形を成形する工程と、
原形を成形した後に、プレス治具によって前記透孔と通路溝を合わせた形状に打ち抜き加工する工程と、を有することを特徴とするウォータポンプの製造方法。
【請求項１５】
請求項１４に記載のウォータポンプの製造方法において、
前記打ち抜き加工する工程では、前記透孔と通路溝をプレス治具によって前記筒状基部の内側から打ち抜くことを特徴とするウォータポンプの製造方法。
【請求項１６】
請求項１５に記載のウォータポンプの製造方法において、
前記通路溝を形成するプレス治具の断面積は、前記透孔を形成するプレス治具の断面積よりも小さいことを特徴とするウォータポンプの製造方法。
【請求項１７】
請求項１４に記載のウォータポンプの製造方法において、
前記通路溝を打ち抜くプレス治具は、第２工程において前記筒状基部の内周面に対して点接触または線接触している部位があることを特徴とするウォータポンプの製造方法。
【請求項１８】
軸方向の一端側に円筒部を有するポンプハウジングと、
該ポンプハウジング内に回転自在に支持された駆動軸と、
該駆動軸の一端部に固定された円盤状の端壁及び該端壁の外周縁に一体に結合されて前記円筒部を囲繞するように設けられた筒状基部を有するプーリと、
前記筒状基部と前記円筒部との間に介装されて、前記駆動軸を回転自在に軸受けする軸受部と、
前記駆動軸の他端部に一体回転可能に設けられたインペラと、
を備えたウォータポンプであって、
前記端壁に、該端壁の内外を連通する複数の透孔を軸方向に沿って貫通形成すると共に、前記各透孔の内周面の前記端壁の径方向外側に位置する部位を、前記筒状基部の内周面にほぼ沿って形成したことを特徴とするウォータポンプ。
【請求項１９】
請求項１８に記載のウォータポンプにおいて、
前記各透孔は、幅長さが前記端壁の中心側から外側に向かって大きくなることを特徴とするウォータポンプ。
【発明の詳細な説明】
【技術分野】
【０００１】
本発明は、例えば内燃機関を冷却するための冷却水を内燃機関内部に供給するために用いられるウォータポンプ及び該ウォータポンプの製造方法に関する。
【背景技術】
【０００２】
従来のウォータポンプとしては、以下の特許文献１に記載されたものが知られている。【０００３】
概略を説明すると、ウォータポンプは、内部にポンプ室を有するポンプハウジングと、前記ポンプ室内に回転自在に支持された駆動軸と、該駆動軸の一端部に円板状の端壁を介して一体に結合されたプーリと、該プーリとポンプハウジングとの間に設けられて、前記プーリを軸受けするボールベアリングと、前記駆動軸の他端部に一体回転可能に設けられたインペラと、該インペラと前記プーリの間に設けられたメカニカルシールと、を備えている。【０００４】
また、前記端壁には、複数の透孔が周方向の等間隔位置に設けられている。この各透孔は、各構成部品を組み付ける際に、前記ボールベアリングの外輪をプーリの内周面に圧入する治具を挿通させる機能や、前記ポンプハウジング内で前記メカニカルシールから漏れ出た水を外部に排出する機能を有している。【０００５】
しかしながら、前記公報記載のウォータポンプは、各透孔が端壁の比較的中央寄りに形成されていることから、前記メカニカルシールから漏れ出た水を外部へ排出する機能が低下していると共に、該排出機能の低下に伴って外部から各透孔を介してポンプハウジング内(ボールベアリング内)に侵入した水や塵芥などの異物の排出性も低下してしまうおそれがある。【０００６】
本発明は、前記従来のウォータポンプの実情に鑑みて案出されたもので、前記各透孔からの水や塵芥などの異物の排出性を高められるウォータポンプを提供するものである。
【先行技術文献】
【特許文献】
【０００７】
【特許文献１】特開２００４−１１６４８６号公報
【発明の概要】
【０００８】
請求項１に記載の発明は、ウォータポンプに関し、とりわけ、プーリの円盤状の端壁に、該端壁の内外を連通する複数の透孔を軸方向に沿って形成すると共に、前記各透孔の内周面の径方向外端縁に、径方向外側に向かって前記筒状基部の内周面にほぼ沿って貫通した通路溝を形成したことを特徴としている。
【０００９】
この発明によれば、前記各透孔からの水などの排出性を向上させることができる。
【図面の簡単な説明】
【００１０】
【図１】本発明に係るウォータポンプの第１実施形態の縦断面図である。
【図２】本実施形態におけるウォータポンプの分解斜視図である。
【図３】図１のＡ矢視図である。
【図４】本実施形態に供されるプーリの正面図である。
【図５】図４のＢ部拡大図である
【図６】本実施形態に供されるプーリをプレス成形の第１工程によって成形した状態を示すプーリ成形体の縦断面図である。
【図７】同プレス成形の第２工程によって成形した状態を示すプーリ成形体の縦断面図である。
【図８】同プレス成形の第３工程によって成形した状態を示すプーリ成形体の縦断面図である。
【図９】同プレス成形によって透孔を打ち抜く前の状態を示す成形治具とプーリ成形体の縦断面図である。
【図１０】同プレス成形によって透孔を打ち抜いた状態を示す成形治具とプーリ成形体の縦断面図である。
【図１１】プレス成形が完了したプーリ成形体の縦断面図である。
【図１２】本発明の第２実施形態を示すプーリの正面図である。
【図１３】本発明の第３実施形態を示すプーリの正面図である。
【図１４】本発明の第４実施形態を示すプーリの正面図である。
【図１５】本発明の第５実施形態を示すプーリの正面図である。
【図１６】本発明の第６実施形態を示すプーリの正面図である。
【図１７】本発明の第７実施形態を示すプーリの正面図である。
【図１８】本発明の第８実施形態を示すプーリの正面図である。
【図１９】本発明の第９実施形態を示すプーリの正面図である。
【図２０】本発明の第１０実施形態を示すプーリの正面図である。
【図２１】本発明の第１１実施形態を示すプーリの正面図である。
【発明を実施するための形態】
【００１１】
以下、本発明に係るウォータポンプの各実施形態を図面に基づいて詳述する。
〔第１実施形態〕
このウォータポンプは、自動車のラジエータと内燃機関の間で冷却水である不凍液（エチレングリコール）を循環させる冷却装置に適用されている。
【００１２】
このウォータポンプは、図１〜図３に示すように、内燃機関の図外のシリンダブロックの側部にボルトにより取り付けられ、シリンダブロック側の前端部内にポンプ室２を有するポンプハウジング１と、該ポンプハウジング１の前端側に単一の軸受部であるボールベアリング３によって回転自在に支持されたプーリ４と、前記ポンプハウジング１の内部に挿通配置され、一端部５ａが前記プーリ４に結合された駆動軸５と、該駆動軸５の他端部５ｂに結合されて、前記ポンプ室２内に回転自在に収容されたインペラ６と、前記ポンプハウジング１と駆動軸５との間に介装されて、ポンプ室２と前記ボールベアリング３との間をシールするメカニカルシール７と、から主として構成されている。
【００１３】
前記ポンプハウジング１は、アルミニウム合金材で一体に形成され、ポンプ室２側のハウジング本体８が異形円環状に形成されていると共に、該ハウジング本体８の後端側に段差径状の筒状部９を一体に有している。
【００１４】
前記ハウジング本体８は、前端にシリンダブロックの側部に有する平面部に当接する平坦な環状の取付面８ａが形成されていると共に、外周にはシリンダブロックに螺着固定される取付ボルトが挿通されるボルト孔８ｂを構成するボス部８ｃが複数突設されている。
【００１５】
また、このハウジング本体８の内部には、図外のラジエータ側の吸入ポートからポンプ室２に流入した冷却水をインペラ６の回転に伴ってシリンダブロック内のウォータジャケット内に吐出する吐出ポート８ｄが形成されている。
【００１６】
前記筒状部９は、図１及び図２に示すように、ポンプ室２側の大径部９ａと、該大径部９ａから前記ボールベアリング３方向へ延出した中径部９ｂと、該中径部９ｂから駆動軸５の一端側へ延出した小径部９ｃと、から構成されている。
【００１７】
前記中径部９ｂは、重力方向下側に前記メカニカルシール７から漏れ出た冷却水の水滴を流下させるドレン孔１０が上下方向に貫通形成されていると共に、該ドレン孔１０の下側には該ドレン孔１０から滴下した水滴を貯留するドレンチャンバ１１が前記大径部９ａの内部に跨って形成されている。このドレンチャンバ１１は、下端開口がドレンキャップ１２によって液密的に封止されている。
【００１８】
また、前記中径部９ｂの重力方向の上側には、前記メカニカルシール７から漏出した、あるいは前記ドレンチャンバ１１内などに貯留された冷却水の水蒸気を外部に排出する図外の大気開放孔が穿設されている。さらに、この中径部９ｂの内周側には、前記駆動軸５との間に円環状の環状空間室１３が形成されており、この環状空間室１３は、前記ドレン孔１０と大気開放孔に上下方向で連通している。また、前記中径部９ｂの外周には、前記大気開放孔と外部とを連通する図外の大気連通孔が形成されている。
【００１９】
前記ボールベアリング３は、一般的なものであって、図１及び図２に示すように、前記小径部９ｃに圧入された内輪３ａと、前記プーリ４の後述する筒状基部４ｂの内周面４ｇに圧入された外輪３ｂと、前記内輪３ａと外輪３ｂとの間に保持器を介して転動自在に設けられた複数のボール３ｃとから構成されている。
【００２０】
前記内輪３ａは、その軸方向の最大圧入位置が前記筒状部９の中径部９ｂの前端縁に設けられた環状突部９ｄによって軸方向の位置が位置決めされている一方、外輪３ｂは、内輪３ａの位置決めによって自ずと前記プーリ４内への圧入によってその軸方向の位置決めがされている。
【００２１】
前記ボールベアリング３の軸方向前後端には、図１及び図２に示すようにボールベアリング３の内部に塵芥などの侵入を阻止するための、一対の第１、第２シール部材１４，１５が設けられており、この両シール部材１４，１５は、ボールベアリング３の軸方向両側を覆うように対向配置されている。
【００２２】
前記第１シール部材１４は、前記中径筒部９ｂ側の前記環状突部９ｄと内輪３ａの一端面との間に挟持状態に固定されている。一方、第２シール部材１５は、保持部材であるリテーナ１６によって内輪３ａの他方側端面との間に挟持状態に固定されている。
【００２３】
前記プーリ４は、図１〜図４に示すように、後述する金属板をプレス成形によって所定形状に折曲形成され、前記駆動軸５の一端側に配置された円盤状の端壁であるフランジ壁４ａと、該フランジ壁４ａの外周縁から駆動軸５の軸方向に折曲された大径状の筒状基部４ｂと、該筒状基部４ｂの一端部側から円盤状の連結壁４ｃを介して連結された円環状のベルト装着部４ｄとから主として構成されている。
【００２４】
前記フランジ壁４ａは、図１、図２及び図４に示すように、中央位置に前記駆動軸５の一端部５ａが圧入固定される有底状の円筒部４ｅが一体に形成されていると共に、外周側には６つの透孔１７が円周方向のほぼ等間隔位置に軸方向へ貫通形成されている。
【００２５】
前記円筒部４ｅは、底壁の中央位置に前記駆動軸５の一端部５ａを圧入する際の空気抜きを行う空気抜き孔４ｆが貫通形成されている。
【００２６】
前記ベルト装着部４ｄは、断面波形歯状に形成された外周に、図外のクランクシャフトの先端部に固定された駆動プーリに巻回された伝達ベルトが巻回されて回転力が伝達されるようになっている。
【００２７】
前記駆動軸５は、図１及び図２に示すように、例えば鉄系金属材によって外周面が段差径状に形成され、前記フランジ壁４ａの中央に軸方向から結合された一端部５ａと、前記インペラ６の中央に軸方向から圧入固定された他端部５ｂと、軸方向のほぼ中央位置に形成された小径軸部５ｃと、から構成されている。
【００２８】
前記一端部５ａと他端部５ｂとは、その外径がほぼ同一に形成されているが、小径軸部５ｃの外径は両端部５ａ、５ｂの外径よりも小さく形成されている。この小径軸部５ｃは、前記環状空間室１３に臨設されて、前記メカニカルシール７から漏れ出て外周面を伝って来た水を軸方向の両段差縁５ｄ、５ｅによって切り離して前記環状空間室１３からドレン孔１０を介してドレンチャンバ１１内に導くようになっている。
【００２９】
前記インペラ６は、例えばアルミニウム合金材などの金属材によって一体成形され、図１〜図３に示すように、ほぼ円盤状の基部６ａと、該基部６ａの前面側中央部に軸方向から一体に突設された筒状固定部６ｂと、該筒状固定部６ｂの外周面から放射状に形成された８枚の羽根部６ｃと、から構成されている。
【００３０】
前記基部６ａは、所定肉厚に形成されて、前記ポンプ室２の後面に隙間をもって回転するようになっている。前記筒状固定部６ｂは、内部軸方向に前記駆動軸５の他端部５ｂが圧入される固定用孔６ｄが形成されている。
【００３１】
前記メカニカルシール７は、一般的なものであって、前記筒状部９の中径部９ｂの内周面に固定されたカートリッジ部７ａと、前記駆動軸５の外周面に支持されたスリーブ７ｂと、前記カートリッジ部７ａの内周側と前記スリーブ７ｂの外周側との間に設けられて摺動する図外のシール部とから構成されている。
【００３２】
そして、前記プーリ４のフランジ壁４ａに形成された前記各透孔１７は、図４及び図５に示すように、全体がフランジ壁４ａの外周側に形成されて、個々の内周面１７ａ形状がほぼ三角おむすび状に形成され、各頂面１７ｂが前記円筒部４ｅの中心方向に指向していると共に、円弧状の各底面１７ｃが前記筒状基部４ｂの内周面４ｇに近接配置されている。つまり、円弧状の各底面１７ｃは、図５に示すように、筒状基部４ｂの円形状の内周面４ｇに沿って近接配置されている。
【００３３】
また、前記各底面１７ｃの周方向のほぼ中央位置に、通路溝１７ｄが連続一体に形成されている。この各通路溝１７ｄは、図４、図５に示すように、各透孔１７のフランジ壁４ａ径方向の外端縁にそれぞれ横断面ほぼＶ字形状に形成されて、最深部（先端部）が前記筒状基部４ｂの内周面４ｇの形成位置と同一に形成されている。
〔プーリのプレス成形工程(ウォータポンプの製造方法)〕
以下、前記プーリ４のプレス成形による成形工程について、図６〜図１１に基づいて説明する。
【００３４】
まず、第１工程としては、図６に示すように、鉄系金属からなる円盤状のプーリ成形体１８の中央にプレス成形機のプレス治具によって前記円筒部４ｅと空気抜き孔４ｆを同時に成形する。
【００３５】
第２工程として、図７に示すように、プレス治具によって円盤状のフランジ壁４ａと、この外周の筒状基部４ｂを同時に成形する。
【００３６】
その後、第３工程として、図８に示すように、別異のプレス治具によって前記連結壁４ｃとベルト装着部４ｄを成形する。これによって、プーリ成形体１８のほぼ全体の外形が成形される。
【００３７】
次に、第４工程としては、図９に示すように、プーリ成形体１８の外端側を支持治具１９によって軸方向から支持する。この支持治具１９は、中央に前記円筒部４ｅが嵌合支持される嵌合支持溝１９ａと、この嵌合支持溝１９ａの外周側の前記各透孔１７が形成される位置に形成された６つの嵌入穴１９ｂと、を有している。
【００３８】
その後、第５工程として、図１０に示すように、図中左側が前記支持治具１９に予め固定支持されたプーリ成形体１８の右側から筒状基部４ｂの内部に挿入される打ち抜き治具２０によって前記６つの透孔１７を打ち抜き形成する。
【００３９】
すなわち、前記打ち抜き治具２０は、円盤状基部２０ａと、該基部２０ａの前端に突設された６本のパンチ２０ｂとから構成され、この各パンチ２０ｂは、横断面形状が透孔１７形成用の三角形おむすび形状と通路溝１７ｄ形成用のＶ字形状が一体に形成されている。また、該各パンチ２０ｂの各外周縁を結ぶ円弧軌跡の直径が前記筒状基部４ｂの内周面４ｇの内径よりも僅かに小さく形成され、筒状基部４ｂの内部に挿入された際に、各パンチ２０ｂの外周縁が前記内周面４ｇに接触しないようになっている。
【００４０】
さらに、本実施形態では、前記パンチ２０ｂの横断面積において、前記通路溝１７ｂ形成部の方が前記透孔１７形成部よりも小さく形成され、かつ前記通路溝１７ｄ形成部の幅長さが、前記フランジ壁４ａの径方向外側に向かって連続的に小さくなるように形成されている。これにより、前記筒状基部４ｂの内部に、各パンチ２０ｂが挿入された際に、若干の軸ずれが生じたとしても、各パンチ２０ｂの外周縁が前記内周面４ｇに接触することをできる限り抑制することができる。
【００４１】
したがって、前記打ち抜き治具２０の各パンチ２０ｂを筒状基部４ｂの内側から押し込んでフランジ壁４ａを前記支持治具１９の各嵌入穴１９ｂを介して打ち抜くと、図１１にも示すような、前記６つの透孔１７と通路溝１７ｄが同時かつ一緒に形成される。これによって、前記プーリ４の一連のプレス成形作業が完了するのである。
【００４２】
以上のように、本実施形態では、前記各透孔１７をフランジ壁４ａの外周側に形成すると共に、各通路溝１７ｄの先端部を筒状基部４ｂの内周面４ｇの位置と同じ位置に形成したことから、筒状基部４ｂの内部に有する水や塵芥などを外部に効率良く排出することができる。
【００４３】
すなわち、ポンプ作動中などに前記メカニカルシール７から漏れ出た水が筒状基部４ｂ内部前端側に流入したり、プーリ４の外部から水や塵芥が前記各透孔１７を介して筒状基部４ｂの内部前端側に侵入したとしても、例えばポンプ停止時に、筒状基部４ｂの内周面４ｇの下部から各透孔１７の各通路溝１７ｄの内面に案内されながら外部へ速やかに排出させることができる。これによって、筒状基部４ｂ内部からの水などの排出機能が大幅に向上する。
【００４４】
この結果、前記筒状基部４ｂの内部前端側に入った水や塵芥が、前記ボールベアリング３側へ流入することがなくなることから、該ボールベアリング３内部での錆などの発生を十分に抑制することが可能になる。
〔第２〜第６実施形態〕
図１２〜図１６は本発明の第２〜第６実施形態を示し、前記透孔１７の形状を変更したものである。
【００４５】
図１２に示す第２実施形態の各透孔１７は、それぞれ円形状に形成されて、前記筒状基部４ｂの内周面４ｇに近接して配置されていると共に、各内周面１７ａの径方向外端縁に横断面ほぼＶ字形状の通路溝１７ｄが形成されている。この各通路溝１７ｄは、先端部が前記筒状基部４ｂの内周面４ｇと同じ位置に形成されている。
【００４６】
図１３に示す第３実施形態の各透孔１７は、それぞれ正方形状に形成されて、前記筒状基部４ｂの内周面４ｇに近接して配置されていると共に、各内周面１７ａの外側の底面１７ｃ、つまりフランジ壁４ａの径方向外端縁の底面１７ｃに横断面ほぼＶ字形状の通路溝１７ｄが形成されている。この各通路溝１７ｄは、先端部が前記筒状基部４ｂの内周面４ｇと同じ位置に形成されている。
【００４７】
図１４に示す第４実施形態の各透孔１７は、それぞれフランジ壁４ａの中心Ｐから放射方向に沿って延出された長穴状に形成されて、内周側の円形状の頂面１７ｂから放射方向に延びた先端部に通路溝１７ｄが形成されている。この各通路溝１７ｄは、ほぼＵ字形状に形成されて、各先端縁が前記筒状基部４ｂの内周面４ｇと同じ位置に形成されている。
【００４８】
図１５に示す第５実施形態の各透孔１７は、内周面１７ａがそれぞれほぼキャップ状に形成されて、前記筒状基部４ｂの内周面４ｇに近接して配置されていると共に、各頂面１７ｂが前記フランジ壁４ａの中心Ｐを指向していると共に、鍔部に相当する底面１７ｃの両端に２つの通路溝１７ｄ、１７ｄが形成されている。この各通路溝１７ｄ、１７ｄは、横断面ほぼＵ字形状に形成されて、各先端縁が前記筒状基部４ｂの内周面４ｇと同じ位置に形成されている。
【００４９】
図１６に示す第６実施形態の各透孔１７は、それぞれほぼ三角形状に形成されて、前記筒状基部４ｂの内周面４ｇに近接して配置されており、各頂面１７ｂが前記フランジ壁４ａの中心Ｐを指向していると共に、底面１７ｃの一側部に通路溝１７ｄが形成されている。この各通路溝１７ｄは、ほぼＵ字形状に形成されて先端部が前記筒状基部４ｂの内周面４ｇと同じ位置に形成されている。
【００５０】
したがって、前記第２〜第６実施形態は、各透孔の通路溝１７ｄ(１７ｄ)によって水や塵芥などの排出性が向上するといった第１実施形態と同様な作用効果が得られる。
【００５１】
また、前記第５実施形態では、２つの通路溝１７ｄ、１７ｄとしたことから、水などの排出性がさらに向上する。
〔第７，第８実施形態〕
図１７，図１８は本発明の第７，第８実施形態を示し、前記透孔１７の配置を変更すると共に、通路溝を廃止したものである。
【００５２】
すなわち、図１７に示す第７実施形態の各透孔１７は、内周面１７ａの各形状が第１実施形態と同じく三角おむすび状に形成され、フランジ壁４ａの中心に指向した各頂面１７ｂと、フランジ壁４ａの外周部側に形成された各底面１７ｃと、を有し、該各底面１７ｃが前記筒状基部４ｂの内周面４ｇと同じ位置に形成されている。つまり、前記第１〜第６実施形態のように、通路溝を内周面４ｇと同じ位置に形成するのではなく、各底面１７ｃ自体を内周面４ｇの形成位置と同じ位置に形成したのである。
【００５３】
したがって、この実施形態によれば、筒状基部４ｂの内部に侵入した水は、透孔１７の面積の広い底面１７ｃを通って外部に案内されつつ排出されることから、流動抵抗が少なくなり排出性能がさらに向上する。
【００５４】
図１８に示す第８実施形態の各透孔１７は、内周面１７ａが第２実施形態と同じく円形状に形成され、内周面１７ａの外端縁１７ｅが前記筒状基部４ｂの内周面４ｇと同じ位置に形成されている。つまり、前記第２実施形態のように通路溝を形成して、この通路溝を内周面４ｇと同じ位置に形成するのではなく、各外端縁１７ｅ自体を内周面４ｇの形成位置と同じ位置に形成したものである。
【００５５】
したがって、この実施形態も、筒状基部４ｂの内部に侵入した水は、透孔１７の比較的面積の広い外端縁１７ｅを通って外部に案内されつつ排出されることから、流動抵抗が少なくなり排出性能がさらに向上する。
〔第９、第１０実施形態〕
図１９、図２０は本発明の第９、第１０実施形態を示し、前記透孔１７の配置や形状をさらに変更したものである。
【００５６】
すなわち、図１９に示す第９実施形態の各透孔１７は、内周面１７ａの各形状が雨滴状に形成され、フランジ壁４ａの中心に指向した各頂面１７ｂと、フランジ壁４ａの径方向の外端側に形成された各底面と、該各底面のほぼ中央をさらに円弧状に切欠形成してなる通路溝１７ｄを有している。
【００５７】
この通路溝１７ｄは、その形成位置が前記筒状基部４ｂの内周面４ｇよりもさらに外側の位置に形成されている。つまり、前記各実施形態のように通路溝を内周面４ｇと同じ位置に形成するのではなく、内周面４ｇよりもさらに外側の位置の一段低い段差面になっている。
【００５８】
したがって、この実施形態によれば、筒状基部４ｂの内部に侵入した水は、透孔１７の面積が広くかつ一段低い通路溝１７ｄを通って外部に案内されつつ排出されることから、排出の流動速度が速くなって排出性能が一層向上する。
【００５９】
この特異な構成は、特にポンプ停止時に各透孔１７の位置がいずれの位置になったとしても良好な排出性能を維持できる。
【００６０】
図２０に示す第１０実施形態の各透孔１７は、内周面１７ａの基本形状が円形状に形成され、径方向の外端側に円弧状に切欠された通路溝１７ｄがそれぞれ形成されている。
【００６１】
この通路溝１７ｄは、その形成位置が第９実施形態と同じく前記筒状基部４ｂの内周面４ｇよりもさらに外側の位置に形成されている。つまり、内周面４ｇよりもさらに外側の位置の一段低い段差面になっている。
【００６２】
したがって、この実施形態も第９実施形態と同じく水などの排出性がさらに向上する。
〔第１１実施形態〕
図２１は第１１実施形態を示し、この実施形態では各透孔１７の内周面１７ａの基本形状や形成位置が第１実施形態のものと同一で、三角おむすび状に形成されて、頂面１７ｂ、底面１７ｃを有しているが、この底面１７ｃから径方向外側に向かって通路溝１７ｄが形成されている。
【００６３】
この通路溝１７ｄは、底面１７ｃから径方向外側に向かって長く切欠形成された長方形状に形成されて、各外端縁１７ｆが筒状基部４ｂの内周面４ｇを越えて筒状基部４ｂの外周面まで径方向に延長されて全体が樋状に形成されている。
【００６４】
したがって、この実施形態によれば、筒状基部４ｂの内部に侵入した水などは、筒状基部４ｂの内周面４ｇ下部から透孔１７の通路溝１７ｄに直接的に流れ込んでそのまま下方へ連続的に流下して外部に排出される。このため、水などの排出性がさらに良好になる。
【図１】
2015098293.tif 000003
【図２】
2015098293.tif 000004
【図３】
2015098293.tif 000005
【図４】
2015098293.tif 000006
【図５】
2015098293.tif 000007
【図６】
2015098293.tif 000008
【図７】
2015098293.tif 000009
【図８】
2015098293.tif 000010
【図９】
2015098293.tif 000011
【図１０】
2015098293.tif 000012
【図１１】
2015098293.tif 000013
【図１２】
2015098293.tif 000014
【図１３】
2015098293.tif 000015
【図１４】
2015098293.tif 000016
【図１５】
2015098293.tif 000017
【図１６】
2015098293.tif 000018
【図１７】
2015098293.tif 000019
【図１８】
2015098293.tif 000020
【図１９】
2015098293.tif 000021
【図２０】
2015098293.tif 000022
【図２１】
2015098293.tif 000023
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
軸方向の一端側に円筒部を有するポンプハウジングと、
該ポンプハウジング内で回転自在に支持された駆動軸と、
該駆動軸の一端部に固定された円盤状の端壁及び該端壁の外周縁に一体に結合されて前記円筒部を囲繞するように設けられた筒状基部を有するプーリと、
前記筒状基部と前記円筒部との間に介装されて、前記駆動軸を回転自在に軸受けする軸受部と、
前記駆動軸の他端部に一体回転可能に設けられたインペラと、
を備えたウォータポンプであって、
前記端壁に、該端壁の内外を連通する複数の透孔を軸方向に沿って形成すると共に、前記各透孔の内周面の径方向外端縁に、径方向外側に向かって、前記筒状基部の内周面にほぼ沿った通路溝が形成され、
前記通路溝は、開口面積が前記透孔の開口面積よりも小さく形成されていると共に、幅長さを前記端壁の内側から外側に向かって小さくなるように形成されていることを特徴とするウォータポンプ。
【請求項２】
（削除）
【請求項３】
（削除）
【請求項４】
（削除）
【請求項５】
請求項１に記載のウォータポンプにおいて、
前記透孔は、幅長さが前記端壁の内側から外側に向かって大きくなるように形成されていることを特徴とするウォータポンプ。
【請求項６】
請求項５に記載のウォータポンプにおいて、
前記透孔は、三角おむすび状に形成されていることを特徴とするウォータポンプ。
【請求項７】
請求項１に記載のウォータポンプにおいて、
前記各透孔は、前記端壁の周方向に等間隔位置に形成されていることを特徴とするウォータポンプ。
【請求項８】
請求項１に記載のウォータポンプにおいて、
前記透孔は、円形状に形成されていることを特徴とするウォータポンプ。
【請求項９】
請求項１に記載のウォータポンプにおいて、
前記透孔は、楕円形状に形成されていることを特徴とするウォータポンプ。
【請求項１０】
請求項１に記載のウォータポンプにおいて、
前記透孔は、矩形状に形成されていることを特徴とするウォータポンプ。
【請求項１１】
請求項１に記載のウォータポンプにおいて、
前記通路溝は、円弧状に形成されていることを特徴とするウォータポンプ。
【請求項１２】
請求項１１に記載のウォータポンプにおいて、
前記通路溝は、複数形成されていることを特徴とするウォータポンプ。
【請求項１３】
請求項１に記載のウォータポンプにおいて、
前記軸受部は、内輪が前記円筒部に固定され、外輪が前記筒状基部に固定された単一のボールベアリングによって構成されていることを特徴とするウォータポンプ。
【請求項１４】
軸方向の一端側に円筒部を有するポンプハウジングと、
該ポンプハウジング内に回転自在に支持された駆動軸と、
該駆動軸の一端部に固定された円盤状の端壁及び該端壁の外周縁に一体に結合されて前記円筒部を囲繞するように設けられた筒状基部を有するプーリと、
前記筒状基部と前記円筒部との間に介装されて、前記駆動軸を回転自在に軸受けする軸受部と、
前記駆動軸の他端部に一体回転可能に設けられたインペラと、
前記端壁に軸方向に沿って形成され、前記端壁の内外を連通する複数の透孔と、
前記各透孔の内周面の径方向外端縁に前記筒状基部の内周面にほぼ沿って形成された通路溝と、
を備えたウォータポンプの製造方法であって、
円盤状の金属プレートをプレス成形によって折曲することにより前記プーリの原形を成形する工程と、
原形を成形した後に、プレス治具によって前記透孔と通路溝を合わせた形状に打ち抜き加工する工程と、を有し、
前記プレス治具は、前記打ち抜き加工する工程において前記筒状基部の内周面に対して点接触または線接触している部位があることを特徴とすることを特徴とするウォータポンプの製造方法。
【請求項１５】
請求項１４に記載のウォータポンプの製造方法において、
前記打ち抜き加工する工程では、前記透孔と通路溝をプレス治具によって前記筒状基部の内側から打ち抜くことを特徴とするウォータポンプの製造方法。
【請求項１６】
請求項１５に記載のウォータポンプの製造方法において、
前記通路溝を形成するプレス治具の断面積は、前記透孔を形成するプレス治具の断面積よりも小さいことを特徴とするウォータポンプの製造方法。
【国際調査報告】
2015098293.tif 000024
2015098293.tif 000025
2015098293.tif 000026
2015098293.tif 000027